(57)【要約】【課題】この発明は、上記特許文献に開示された発明における括れ部とフィルム溶着部との間に生ずる段差を解消し、格別の対応を要することなく、区画部分の密閉性を確保した区分け容器を得ることを課題とするものである。【解決手段】この発明の容器の口部材は、シートで形成された区分け容器本体の口部に装着される口部材１を以下のように構成する。容器本７体の口部内側に接着される本体部２に、この本体部２の側面から段差なしに本体部の下方に伸びて容器本体の側面内側に接着される先端尖鋭な分離体部３を設け、前記本体部には前記分離体部により区分けされる区画毎に上方に突出した開口予定部４を形成して区分け容器の口部材を構成する。【選択図】図５
2007297110.tif 000002
【特許請求の範囲】
【請求項１】
シートで形成された区分け容器本体の口部に装着される口部材であって、
容器本体の口部内側に接着される本体部と、本体部の側面から段差なしに本体部の下方に伸びて容器本体の側面内側に接着される先端尖鋭な分離体部とを有し、
前記本体部には前記分離体部により区分けされる区画毎に上方に突出した開口予定部が形成された
区分け容器の口部材
【請求項２】
シートで形成された区分け容器本体の口部に装着される口部材であって、
容器本体の口部内側に接着される本体部と、本体部の側面から段差なしに本体部の底部に伸びて容器本体の側面内側に接着される分離体部とを有し、
前記本体部には前記分離体部により区分けされる区画毎に上方に突出した開口予定部が形成された
区分け容器の口部材
【請求項３】
開口予定部は、本体部に上下に連通する透孔を設けるとともに、前記透孔の上方に透孔を閉塞する閉塞体を形成して構成した、請求項１又は２記載の区分け容器の口部材
【請求項４】
閉塞体は、その上部を透孔に密嵌しえる形状・大きさとし、本体部から切離した後に詮として使用できるようにした、請求項２記載の区分け容器の口部材
【請求項５】
シートの縁部を接着して袋状として容器本体を構成し、容器本体の口部内側に請求項１又は２記載の口部材の本体部を接着し、容器本体の側面内側に請求項１又は２記載の口部材の分離体部を接着した、区分け容器
【請求項６】
容器本体の上部は口部材の上方に伸び、その上端部が接着により密閉された、請求項５記載の区分け容器
【発明の詳細な説明】
【技術分野】
【０００１】
この発明は、シャンプーとリンス、たれと辛、ケチャップと辛など、セットで使用される液体又は粘凋物を包装するためのシート製容器に関するものである。
【背景技術】
【０００２】
シャンプーとリンス、たれと辛、ケチャップと辛など、セットで使用される液体又は粘凋物は、ひとまとめにして包装することが好まし場合がある。
特に、旅行用などに小容量包装されて販売されるシャンプーとリンスや弁当や総菜の販売時に添付される調味料類は、ひとまとめにして包装されることにより取り扱いの便が向上する。また、小容量包装以外であっても、セットで使用される調味料などの使用時に片方が見つからないなどこともしばしば生ずるが、まとめて包装されているならばこのような不都合は解消する。
【特許文献１】特開平１１−３０１６９６号公報
【０００３】
上記特許文献には、フィルム材製の容器胴部の口部に中央部に括れ部を有する８の字形の射出成形部材を取り付け、前記括れ部に連続してフィルムを帯状に溶着して２室に区画した二液用容器の発明が開示されている。
【０００４】
上記発明においては、括れ部の下縁とフィルムの溶着部との間に段差が生ずることが避けられない。そのために段差部分の密閉性を確保するためにとフィルム製の胴部の口部に補強縁を形成するなどの対処が必要となる。
【発明の開示】
【発明が解決しようとする課題】
【０００５】
この発明は、上記特許文献に開示された発明における括れ部とフィルム溶着部との間に生ずる段差を解消し、格別の対応を要することなく、区画部分の密閉性を確保した区分け容器を得ることを課題とするものである。
【課題を解決するための手段】
【０００６】
請求項１ないし４は区分け容器を構成する口部材の発明、請求項５，６はこの口部材を適用した区分け容器の発明である。
【０００７】
請求項１の発明は、シートで形成された区分け容器本体の口部に装着される口部材を以下のように構成する。容器本体の口部内側に接着される本体部に、この本体部の側面から段差なしに本体部の下方に伸びて容器本体の側面内側に接着される先端尖鋭な分離体部を設け、前記本体部には前記分離体部により区分けされる区画毎に上方に突出した開口予定部を形成して区分け容器の口部材を構成する。
この発明は、区画部分の密閉性を確保するために、分離体部を先端尖鋭とすることによって、分離体部と容器本体のシート内面との段差を解消したものである。
【０００８】
請求項２の発明は、請求項１の発明と基本構成が同じものであって  
シートで形成された区分け容器本体の口部に装着される口部材であって、分離体部を本体部の底部まで伸ばしたものである。
この発明は、区画部分の密閉性を確保するために、分離体部を容器本体の底部まで伸ばすことによって、分離体部と容器本体のシート内面との段差を解消したものである。
【０００９】
前記シートは、合成樹脂フィルム、紙、紙と合成樹脂フィルム又はアルミなど金属との複合フィルムなど何れを使用することもできる。
口部材は合成樹脂成形品が好適であるが、合成樹脂をラミネートした紙製とすることもできる。そして、開口予定部を上方に突出したものとしてあるのは開口を容易とするためであり、例えば、開口予定部は、本体部に上下に連通する透孔を設けるとともに、前記透孔の上方に透孔を閉塞する閉塞体を形成して構成する（請求項３）。そして、閉塞体は、その上部を透孔に密嵌しえる形状・大きさとし、本体部から切離した後に詮として使用できるようにすると、保存にも適した容器とすることができる（請求項４）。
前記分離体の数は１つ以上であれば数は問わない。所望の区画の数に合わせた数の分離体を設けることとなる。
【００１０】
請求項５の発明は、シートの縁部を接着して袋状として容器本体を構成し、容器本体の口部内側に前記口部材の本体部を接着し、容器本体の側面内側に前記口部材の分離体部を接着して区分け容器を構成するものである。分離体部が容器本体の底部に至らない場合は、分離体部の下方において容器本体のシート同士を帯状に接着する。
請求項６の発明は、容器本体の上部を口部材の上方に伸ばし、その上端部を接着により密閉したものであって、密閉性を高めたものである。
上記における各部の接着は、熱溶着、接着剤による接着その他適宜の方法を採用する。
【発明の効果】
【００１１】
この発明によれば、口部材に分離体部を設け、シート製の容器本体をこの分離体部に接着して複数の区画に分けるものとしたので、容器本体は口部材の本体部及び分離体部でその形状が保持され、保形性のよいシート製の区分け容器が得られる。そして、前記分離体部は先端を尖鋭とし、又は容器本体の底部に至るものとしたので、分離体部と容器本体の側壁内面との間に段差部分が生じないので、区分けされた区画の密閉性が確保できる。
また、開口予定部を上方に突出させたので、突出した部分を切り取りやすい。
【発明を実施するための最良の形態】
【００１２】
以下実施例を説明する。
【実施例１】
【００１３】
図１において、口部材１は合成樹脂成形品として構成してあり、舟形の本体部２の中央部下面に分離体部３が連設してある。
前記本体部２には前記分離体部３を挟んだ両側にそれぞれ透孔４が設けてあり、これら透孔の上方に透孔を閉塞する閉塞部５を設けて開口予定部を構成している。前記閉塞部５は基部を薄肉として開口時に切離が容易となるようにしてあり、上端部は充実させて、前記透孔４に密嵌しえる形状、大きさとしてあり、切離後に上端部を逆向きにして前記透孔４に差し込むことによって透孔を閉鎖できるようにしてある。前記閉塞部５の基端には切離用の切り欠き部を形成してもよい。
前記本体部２の上面両側には前記閉塞部５に近接して、これを保護するための保護凸部６が設けてある。この保護凸部６は本体部２の端部から正面視円弧状に立ち上がり、閉塞部５に向けて次第に幅広とした形状である。
また、前記２つの閉塞部６の中間に更に保護凸部を設けることもできる。その形状は角錐台形状のものが好ましい。
【００１４】
前記本体部２は縦断面を略逆台形として側壁を傾斜面としてあり、前記分離体部３の側壁は前記傾斜面となった本体部２の側壁に連続した面として構成してある。そして、縦断面は下端を尖鋭とした二等辺三角形としてある。
【００１５】
上記のように構成された口部材１をシート製の容器本体７に接着して区分け容器を構成する。
前記容器本体７は周縁部３を熱溶着して袋状に構成されており、その口部８に前記口部材１を装着してある。すなわち、容器本体７の口部内面と口部材１の本体部２の側壁とを熱溶着により接着し、残余の部分８ａにおいては容器本体の口部同士を熱溶着により接着する。また、容器本体７の内面の分離体部対応部９と口部材１の分離体部３の側壁とを熱溶着により接着し、残余の部分９ａにおいては容器本体の内面同士を熱溶着により接着する。
上記において、分離体部３は本体部２から連続した側面を構成しているので分離体部３の基部において段差が生ずることはなく、かつ先端尖鋭であるから分離体部３の下端と残余の部分９ａとの間に段差が生ずることはない。したがって、分離体部３の上下にわたり間隙が生ずることがなく、左右の区画はそれぞれ確実に密閉され、各区画に所望の液体又は粘凋物を混ざり合うことなく包装することができる。
【００１６】
この実施例によれば、閉塞体５の上部を透孔４に嵌装しえる大きさとしたので、開口後に透孔４を閉塞することができ、保存に対応可能な容器となる。また、閉塞体５を保護する保護凸部６を設けたので、充填前や充填後の商品の輸送中に外部からの圧力などにより閉塞部５が折れたり切り取られたりする事故を防止することができる。
【実施例２】
【００１７】
図６、図７は上記実施例１と同様の口部材１を用い、容器本体７上縁１０を口部材１の上方まで伸ばしたものである。また、口部材１の長さを容器本体７の口部の幅と同等として、口部の密閉性を高めている。
この実施例において、容器本体７の上縁１０は熱溶着によって閉塞してある。
この実施例によれば、容器本体７の上部は、口部における溶着と上縁１０における溶着とで二重に閉塞されている。したがって、口部の溶着が不完全であっても容器自体としては上縁１０で密封されることとなる。レトルト食品など、硬度の気密性が要求される内容物を包装する際に適した構成ている。
【実施例３】
【００１８】
図８は口部材１の分離体部３の縦断面形状を下に向けて幅広とした傾斜面とし、併せてその下端を容器本体７の底部まで至らせたものである。なお、口部材１の本体部２の縦断面形状は、実施例１とは逆に下に向けて幅広として、本体部２の側壁と分離体部３の側壁とが連続した傾斜面を構成するようにしてある。
このように構成した口部材１を装着する容器本体７は底面１１を有する構成としてあり、自立可能な容器となる。そして、底面１１は前記口部材の分離体部３によって保持されるので、安定性のよい自立容器が得られる。
【産業上の利用可能性】
【００１９】
この発明は、複数種類の液体又は粘凋物を混ざり合うことなく包装でき、かつ開口が容易な区分け容器を得ることができるものであって、産業上の利用可能性を有するものである。
【図面の簡単な説明】
【００２０】
【図１】この発明実施例１の口部材の正面図
【図２】同じく口部材の側面図
【図３】同じく口部材の平面図
【図４】同じく口部材の底面図
【図５】同じく口部材を容器本体に取り付けた状態の正面図
【図６】この発明実施例２の容器の正面図
【図７】同じく側面図
【図８】この発明実施例３の側面図
【符号の説明】
【００２１】
１    口部材
２    本体部
３    分離体部
４    透孔
５    閉塞部
６    保護凸部
７    容器本体
８    口部
９    分離体部対応部
１０  上縁
１１  底面
【図１】
2007297110.tif 000003
【図２】
2007297110.tif 000004
【図３】
2007297110.tif 000005
【図４】
2007297110.tif 000006
【図５】
2007297110.tif 000007
【図６】
2007297110.tif 000008
【図７】
2007297110.tif 000009
【図８】
2007297110.tif 000010